(57)【特許請求の範囲】
【請求項１】
ネットワークに連結されたデバイス間のイベント情報伝送方法において、
前記ネットワークに連結された第１デバイスによって、前記ネットワークに連結された少なくとも一つの第２デバイスからイベント情報が受信されるか否かをチェックするステップと、
前記イベント情報が受信されれば、前記第１デバイスは、前記受信されたイベント情報に含まれた少なくとも一つのマルチメディア情報であるイベントリソースについての情報に基づいてマルチメディア情報であるイベントリソースを出力するステップとを含み、
前記受信されたイベント情報は、発生したイベントに対応する前記第２デバイスの状態情報をさらに含み、
前記出力ステップは、前記第２デバイスの状態情報及び前記状態情報にマッピングされる前記イベントリソースのうち少なくとも一つを出力し、
前記イベントリソースについての情報は、前記イベントリソースの位置情報と属性情報とを含む
ネットワークに連結されたデバイス間のイベント情報伝送方法。
【請求項２】
前記ネットワークに連結されたデバイス間のイベント情報伝送方法は、
前記第１デバイスが前記少なくとも一つの第２デバイスにイベント情報購読登録を要求するステップと、
前記少なくとも一つの第２デバイスから前記第１デバイスがイベントソースへの登録通報が受信されれば、前記第１デバイスは、前記少なくとも一つの第２デバイスからイベント情報が受信されるか否かをチェックするステップと、をさらに含むことを特徴とする請求項１に記載のイベント情報伝送方法。
【請求項３】
前記第１デバイスは、前記第２デバイスを制御する制御デバイスであり、前記第２デバイスは、前記第１デバイスによって制御されるデバイスであることを特徴とする請求項１に記載のイベント情報伝送方法。
【請求項４】
ネットワークに連結されたデバイス間のイベント情報伝送方法において、
前記ネットワークに連結された第２デバイスでイベントが発生するか否かをモニタリングするステップと、
前記イベントが発生すれば、前記イベントに対応する前記第２デバイスの状態情報にマッピングされる少なくとも一つのマルチメディア情報であるイベントリソースについての情報を生成するステップと、
前記マルチメディア情報であるイベントリソースの出力のため、前記生成されたイベントリソースについての情報を含むイベント情報を前記ネットワークに連結された少なくとも一つの第１デバイスに伝送するステップと、を含み、
前記イベント情報は、前記発生したイベントに対応する前記第２デバイスの状態情報をさらに含み、前記イベントリソースについての情報は、前記イベントリソースの位置情報と属性情報とを含む
ネットワークに連結されたデバイス間のイベント情報伝送方法。
【請求項５】
前記少なくとも一つのイベントリソースについての情報は、前記イベントに対応する前記第２デバイスの状態情報によって決定されることを特徴とする請求項４に記載のイベント情報伝送方法。
【請求項６】
前記少なくとも一つの第１デバイスは、前記第２デバイスに登録されたイベントソースデバイスであることを特徴とする請求項４に記載のイベント情報伝送方法。
【請求項７】
前記少なくとも一つの第１デバイスは、前記第２デバイスを制御する制御デバイスであり、前記第２デバイスは、前記第１デバイスによって制御されるデバイスであることを特徴とする請求項４に記載のイベント情報伝送方法。
【請求項８】
前記ネットワークがＵＰｎＰ基盤のネットワークであれば、前記第１デバイスは、コントロールポイントであり、前記第２デバイスは、ネットワークデバイスであることを特徴とする請求項４に記載のイベント情報伝送方法。
【請求項９】
前記イベントリソースについての情報を生成するステップは、
前記イベントに対応する前記第２デバイスの状態情報にマッピングされるイベントリソースを生成または検索するステップと、
前記イベントリソースに基づいて、前記イベントリソースについての情報を生成するステップとを含むことを特徴とする請求項４に記載のイベント情報伝送方法。
【請求項１０】
ネットワークに連結されたデバイス間のイベント情報伝送装置において、イベント情報伝送用のデバイスは、
デバイスの状態情報に基づいて、少なくとも一つのイベントが発生するか否かをモニタリングするモニタリング部と、
前記モニタリング部で前記少なくとも一つのイベントが発生したと判断されれば、前記少なくとも一つのイベントに対応するデバイスの状態情報にマッピングされるマルチメディア情報であるイベントリソースについての情報を生成する情報生成部と、
前記情報生成部で生成された前記イベントリソースについての情報を含むイベント情報を前記ネットワークに連結された少なくとも一つの他のデバイスに伝送する伝送部とを備え、
前記イベント情報は、前記発生したイベントに対応する前記デバイスの状態情報をさらに含み、前記イベントリソースについての情報は、前記イベントリソースの位置情報と属性情報とを含む
イベント情報伝送用のデバイス。
【請求項１１】
前記情報生成部は、
前記デバイス状態情報にマッピングされるイベントリソースを生成または検索するイベントリソース生成または検索器と、
前記イベントリソースに基づいて、前記イベントリソースについての情報を生成するイベントリソース情報生成器とを備えることを特徴とする請求項１０に記載のイベント情報伝送用のデバイス。
【請求項１２】
前記少なくとも一つの他のデバイスは、前記イベント情報伝送用のデバイスにイベントソースとして登録されたデバイスであることを特徴とする請求項１０に記載のイベント情報伝送用のデバイス。
【請求項１３】
前記ネットワークがＵＰｎＰ基盤のネットワークであれば、前記イベント情報伝送用のデバイスは、コントロールポイントによって制御されるネットワークデバイスであることを特徴とする請求項１２に記載のイベント情報伝送用のデバイス。
【請求項１４】
ネットワークに連結されたデバイス間のイベント情報伝送装置において、イベント情報受信用デバイスは、
前記ネットワークに連結された少なくとも一つのデバイスからイベント情報を受信する受信部と、
マルチメディア情報であるイベントリソースを出力する出力部と、
前記受信部によって受信されたイベント情報に含まれた少なくとも一つのマルチメディア情報であるイベントリソースについての情報に基づいて前記出力部を制御する制御部とを備え、
前記イベント情報は、発生したイベントに対応する前記少なくとも一つのデバイスの状態情報をさらに含み、
前記出力部は、前記少なくとも一つのデバイスの状態情報をさらに出力し、
前記制御部は、前記少なくとも一つのデバイスの状態情報及び前記少なくとも一つの状態情報にマッピングされたイベントリソースについての情報のうち少なくとも一つを前記出力部に出力させ、
前記イベントリソースについての情報は、前記イベントリソースの位置情報と属性情報とを含む
イベント情報受信用デバイス。
【請求項１５】
前記イベント情報受信用デバイスは、
前記少なくとも一つのデバイスにイベント情報購読登録要求メッセージまたはイベント情報購読取消要求メッセージを送信する送信部をさらに備え、
前記受信部は、前記少なくとも一つのデバイスから前記イベント情報受信用デバイスをイベントソースへの登録通報メッセージをさらに受信することを特徴とする請求項１４に記載のイベント情報受信用デバイス。
【請求項１６】
前記ネットワークがＵＰｎＰ基盤のネットワークであれば、前記イベント情報受信用デバイスは、コントロールポイントであることを特徴とする請求項１４に記載のイベント情報受信用デバイス。
【請求項１７】
ネットワークに連結されたデバイス間のイベント情報伝送方法を行うプログラムが記録されたコンピュータで判読可能な記録媒体において、
前記方法は、
前記ネットワークに連結された第１デバイスによって、前記ネットワークに連結された少なくとも一つの第２デバイスからイベント情報が受信されるか否かをチェックするステップと、
前記イベント情報が受信されれば、前記第１デバイスは、前記受信されたイベント情報に含まれた少なくとも一つのマルチメディア情報であるイベントリソースについての情報に基づいてマルチメディア情報であるイベントリソースを出力するステップとを含み、
前記受信されたイベント情報は、発生したイベントに対応する前記第２デバイスの状態情報をさらに含み、
前記出力ステップは、前記第２デバイスの状態情報と前記状態情報にマッピングされた前記イベント リソースのうち少なくとも一つを出力し、
前記イベントリソースについての情報は、前記イベントリソースの位置情報と属性情報とを含む
記録媒体。
【請求項１８】
ネットワークに連結されたデバイス間のイベント情報伝送方法を行うプログラムが記録されたコンピュータで判読可能な記録媒体において、
前記方法は、
前記ネットワークに連結された第２デバイスでイベントが発生するか否かをモニタリングするステップと、
前記イベントが発生すれば、前記発生したイベントに対応する前記第２デバイスの状態情報にマッピングされる少なくとも一つのマルチメディア情報であるイベントリソースについての情報を生成するステップと、
前記生成されたイベントリソースについての情報を含むイベント情報を、前記ネットワークに連結された少なくとも一つの第１デバイスに伝送するステップとを含み、
前記イベント情報は、前記発生したイベントに対応する前記第２デバイスの状態情報をさらに含み、前記イベントリソースについての情報は、前記イベントリソースの位置情報と属性情報とを含む
記録媒体。
【発明の詳細な説明】
【技術分野】
【０００１】
本発明は、イベント情報伝送に係り、特に、ネットワークに連結されたデバイス間にイベント情報を伝送する方法及び装置、並びにその記録媒体に関する。
【背景技術】
【０００２】
ネットワークに連結されたデバイス間にイベント情報を伝送するための関連技術のうち一つとして、ＧＥＮＡ（Ｇｅｎｅｒｉｃ  Ｅｖｅｎｔ  Ｎｏｔｉｆｉｃａｔｉｏｎ  Ａｒｃｈｉｔｅｃｔｕｒｅ）が挙げられる。ＧＥＮＡは、ＴＣＰ／ＩＰ（トランスミッション  コントロール  プロトコル／インターネット  プロトコル）を通じてＨＴＴＰ（ハイパー  テキスト−トランスファー  プロトコル）またはマルチキャストＵＤＰ（Ｕｓｅｒ−Ｄａｔａｇｒａｍ  Ｐｒｏｔｏｃｏｌ）を使用して、通報メッセージを送受信する機能を提供するために定義された。
【０００３】
ＵＰｎＰ（ユニヴァーサル  プラグ  アンド  プレイ）基盤のネットワークでは、特定のネットワークデバイスでイベントが発生すれば、ネットワークデバイスのイベントソースとして登録されているコントロールポイントでＧＥＮＡフォーマットにイベントメッセージを伝送する。
【０００４】
しかし、前記ＧＥＮＡフォーマットに伝送されるイベントメッセージは、ネットワークデバイスの状態情報をストリング値で伝送する単純な形態を有する。例えば、ネットワークデバイスがデジタルメディア再生器である時、デジタルメディア再生器の静止（ｓｔｏｐ）、再生（Ｐｌａｙ）、及び一時静止（ｐａｕｓｅ）のようなネットワークデバイスの状態情報を、イベントメッセージを使用してストリング値として伝送する。したがって、ユーザは、ネットワークデバイスで発生したイベントを単純にストリング状によってのみ分かる。
【特許文献１】米国特許第６，９１０，０６８号明細書
【発明の開示】
【発明が解決しようとする課題】
【０００５】
本発明の目的は、ネットワークに連結されたデバイス間に多様な形態のイベントリソースを伝送できるイベント情報伝送方法及び装置、並びにその記録媒体を提供することである。
【０００６】
本発明の他の目的は、ネットワークに連結されたデバイス間にマルチメディア形態のイベント情報を伝送できるイベント情報伝送方法及び装置、並びにその記録媒体を提供することである。
【課題を解決するための手段】
【０００７】
前記目的を達成するために、本発明の一類型による方法は、ネットワークに連結されたデバイス間のイベント情報伝送方法において、前記ネットワークに連結された第１デバイスによって前記ネットワークに連結された少なくとも一つの第２デバイスからイベント情報が受信されるか否かをチェックするステップと、前記イベント情報が受信されれば、前記第１デバイスは、前記受信されたイベント情報に含まれた少なくとも一つのイベントリソースについての情報に基づいてイベントリソースを出力するステップと、を含むネットワークに連結されたデバイス間のイベント情報伝送方法を提供する。
【０００８】
前記目的を達成するために、本発明の他の類型による方法は、ネットワークに連結されたデバイス間のイベント情報伝送方法において、前記ネットワークに連結された第２デバイスでイベントが発生するか否かをモニタリングするステップと、前記イベントが発生すれば、前記発生したイベントに対応するデバイスの状態情報にマッピングされる少なくとも一つのイベントリソースについての情報を生成するステップと、前記生成されたイベントリソースについての情報を含むイベント情報を前記ネットワークに連結された少なくとも一つの第１デバイスに伝送するステップとを含むネットワークに連結されたデバイス間のイベント情報伝送方法を提供する。
【０００９】
前記目的を達成するために、本発明のさらに他の類型による装置は、ネットワークに連結されたデバイス間のイベント情報伝送装置において、イベント情報伝送用のデバイスは、デバイスの状態情報に基づいて少なくとも一つのイベントが発生するか否かをモニタリングするモニタリング部と、前記モニタリング部で前記少なくとも一つのイベントが発生したと判断されれば、前記発生したイベントに対応するデバイスの状態情報にマッピングされるイベントリソースについての情報を生成する情報生成部と、前記情報生成部で生成された前記イベントリソースについての情報を含むイベント情報を、前記ネットワークに連結された少なくとも一つの他のデバイスに伝送する伝送部とを含むイベント情報伝送用のデバイスを提供する。
【００１０】
前記目的を達成するために、本発明のさらに他の類型による装置は、ネットワークに連結されたデバイス間のイベント情報伝送装置において、イベント情報受信用デバイスは、前記ネットワークに連結された少なくとも一つのデバイスからイベント情報を受信する受信部と、イベントリソースを出力する出力部と、前記受信部によって受信されたイベント情報に含まれた少なくとも一つのイベントリソースについての情報に基づいて、前記出力部を制御する制御部とを備えるイベント情報受信用デバイスを提供する。
【００１１】
前記目的を達成するために、本発明のさらに他の類型による記録媒体は、ネットワークに連結されたデバイス間のイベント情報伝送方法を行うプログラムが記録されたコンピュータで判読可能な記録媒体において、前記方法は、前記ネットワークに連結された第１デバイスによって前記ネットワークに連結された少なくとも一つの第２デバイスからイベント情報が受信されるか否かをチェックするステップと、前記イベント情報が受信されれば、前記第１デバイスは、前記受信されたイベント情報に含まれた少なくとも一つのイベントリソースについての情報に基づいて、イベントリソースを出力するステップと、を含む記録媒体を提供する。
【００１２】
前記目的を達成するために、本発明のさらに他の類型による記録媒体は、ネットワークに連結されたデバイス間のイベント情報伝送方法を行うプログラムが記録されたコンピュータで判読可能な記録媒体において、前記方法は、前記ネットワークに連結された第２デバイスでイベントが発生するか否かをモニタリングするステップと、前記イベントが発生すれば、前記発生したイベントに対応するデバイスの状態情報にマッピングされる少なくとも一つのイベントリソースについての情報を生成するステップと、前記生成されたイベントリソースについての情報を含むイベント情報を、前記ネットワークに連結された少なくとも一つの第１デバイスに伝送するステップとを含む記録媒体を提供する。
【００１３】
前記イベントリソースは、マルチメディアを含むことが望ましい。
【発明の効果】
【００１４】
本発明によれば、ネットワークに連結された少なくとも一つのデバイス（例えば、ネットワークデバイス）でイベントが発生すれば、発生したイベントによるデバイスの状態情報及び／またはデバイスの状態情報と、マッピングされる少なくとも一つのイベントリソースとをイベントソースに加入されているデバイス（例えば、コントロールポイント）に伝送することによって、ユーザは、ネットワークデバイスで発生したイベントが多様な形態であることが分かる。
【００１５】
例えば、発生したイベントによるデバイスの状態情報にマッピングされるイベントリソースがビデオまたはイメージのようなマルチメディアであれば、ユーザは、ディスプレイされるビデオまたはイメージに基づいて視覚的に発生したイベントであることが分かる。また、発生したイベントによるデバイスの状態情報にマッピングされるイベントリソースがオーディオのようなメディアであれば、ユーザは、出力されるオーディオに基づいて聴覚的に発生したイベントが分かる。さらに、発生したイベントによるデバイスの状態情報にマッピングされるイベントリソースがオーディオとビデオとが結合されたマルチメディアであれば、ユーザは、ディスプレイされるビデオと出力されるオーディオとに基づいて視覚的及び聴覚的に発生したイベントであることが分かる。
【発明を実施するための最良の形態】
【００１６】
以下、添付図面を参照して本発明による実施例を詳細に説明する。
【００１７】
図１は、本発明による方法及び装置が適用されるネットワーク構造の一例であって、一つの制御デバイスが複数のネットワークデバイスを制御するネットワーク構造例である。
【００１８】
すなわち、図１の第１デバイス１００は、ｎ個の第２デバイス１００＿１〜１１０＿ｎを制御するデバイスであり、ｎ個の第２デバイス１００＿１〜１１０＿ｎは、第１デバイス１００によって制御されるデバイスである。ｎ個の第２デバイス１００＿１〜１１０＿ｎは、同じ機能を有しうるが、異なる機能を有することもできる。
【００１９】
したがって、ネットワークがＵＰｎＰ基盤ネットワークであれば、第１デバイス１００は、コントロールポイントに該当し、ｎ個の第２デバイス１００＿１〜１１０＿ｎは、ネットワークデバイスに該当される。ネットワークデバイスは、例えば、プリンタデバイス、メディアサーバデバイス、ウェブカメラデバイスとなりうる。
【００２０】
第１デバイス１００は、本発明によって、ｎ個の第２デバイス１００＿１〜１１０＿ｎで発生するイベント情報を受信し、受信されたイベント情報に基づいたｎ個の第２デバイス１００＿１〜１１０＿ｎの状態情報及び／またはｎ個の第２デバイス１００＿１〜１１０＿ｎの状態情報にマッピングされる少なくとも一つのイベントリソースを出力する。
【００２１】
少なくとも一つのイベントリソースは、マルチメディアと定義されうる。ここで使われるマルチメディアという用語は、サウンド、ビデオ、イメージまたはグラフィック、テキスト、及びその他のデータ形態またはこれらを結合した形態を含む情報またはデータである。したがって、第１デバイス１００は、イベント情報受信用デバイスと定義されうる。
【００２２】
ｎ個の第２デバイス１００＿１〜１１０＿ｎは、イベントが発生すれば、本発明によって、ｎ個の第２デバイス１００＿１〜１１０＿ｎの状態情報及び／または状態情報にマッピングされるイベントリソースについての情報を含むイベント情報を生成して第１デバイス１００に伝送する。したがって、ｎ個の第２デバイス１００＿１〜１１０＿ｎは、イベント情報伝送用のデバイスと定義されうる。
【００２３】
前述したように、ｎ個の第２デバイス１００＿１〜１１０＿ｎで生成されたイベント情報を第１デバイス１００に伝送するために、第１デバイス１００は、ｎ個の第２デバイス１００＿１〜１１０＿ｎにイベントソースとして登録されねばならない。このために、第１デバイス１００は、ｎ個の第２デバイス１００＿１〜１１０＿ｎにそれぞれイベント情報購読登録を要求せねばならない。
【００２４】
ＧＥＮＡフォーマットを利用する場合に、第１デバイス１００は、ｎ個の第２デバイス１００＿１〜１１０＿ｎにＳＵＢＳＣＩＢＥＲメッセージを伝送してイベント情報購読登録を要求する。第１デバイス１００がｎ個の第２デバイス１００＿１〜１１０＿ｎにＳＵＢＳＣＩＢＥＲメッセージを伝送したということは、ｎ個の第２デバイス１００＿１〜１１０＿ｎについての状態情報を把握しようとすることを意味する。したがって、第１デバイス１００がｎ個の第２デバイス１００＿１〜１１０＿ｎのうち、一部デバイスについての状態情報を把握しようとする場合に、第１デバイス１００は、状態情報を把握しようとするデバイスにのみＳＵＢＳＣＲＩＢＥＲメッセージを伝送しうる。したがって、第１デバイス１００は、ｎ個の第２デバイス１００＿１〜１１０＿ｎのうち、一つ以上のデバイスで発生するイベント情報を受信しうる。
【００２５】
第１デバイス１００がｎ個の第２デバイス１００＿１〜１１０＿ｎにイベントソースとして登録された後、ｎ個の第２デバイス１００＿１〜１１０＿ｎのうち、少なくとも一つのデバイスについてのイベント情報購読を取消そうとする時、第１デバイス１００は、当該第２デバイスにイベント情報取消要求メッセージを送信してイベントソース登録を取消させうる。もし、当該第２デバイスのイベントソース登録が取消されれば、当該第２デバイスは、イベント情報を第１デバイス１００に伝送しない。
【００２６】
図２は、本発明による方法及び装置が適用されるネットワーク構造の他の例であって、複数の制御デバイスが一つのネットワークデバイスを制御するネットワーク構造例である。
【００２７】
すなわち、図２のｐ個の第１デバイス２００＿１〜２００＿ｐは、第２デバイス２１０を制御する。ｐ個の第１デバイス２００＿１〜２００＿ｐは、同じ機能を有しうるが、異なる機能を有することもできる。
【００２８】
したがって、ネットワークがＵＰｎＰ基盤ネットワークであれば、ｐ個の第１デバイス２００＿１〜２００＿ｐは、コントロールポイントに該当し、第２デバイス２１０は、ネットワークデバイスに該当される。コントロールポイントは、例えば、ラップトップコンピュータなどとなり、ネットワークデバイスは、例えば、プリンタデバイス、メディアサーバデバイス、ウェブカメラデバイスのうち一つとなりうる。
【００２９】
ｐ個の第１デバイス２００＿１〜２００＿ｐは、それぞれ本発明によって第２デバイス２１０で発生するイベント情報を受信し、受信されたイベント情報に基づいた第２デバイス２１０の状態情報及び／または第２デバイス２１０の状態情報にマッピングされる少なくとも一つのイベントリソース（例えば、マルチメディア）を出力する。したがって、ｐ個の第１デバイス２００＿１〜２００＿ｐは、イベント情報受信用デバイスと定義されうる。
【００３０】
第２デバイス２１０は、イベントが発生すれば、本発明によって、デバイスの状態情報及び／または状態情報にマッピングされるイベントリソース（例えば、マルチメディア）についての情報を含むイベント情報を生成してｐ個の第１デバイス２００＿１〜２００＿ｐに伝送する。したがって、第２デバイス２１０は、イベント情報伝送用のデバイスと定義されうる。
【００３１】
前述したように、第２デバイス２１０で生成されたイベント情報をｐ個の第１デバイス２００＿１〜２００＿ｐに伝送するために、ｐ個の第１デバイス２００＿１〜２００＿ｐは、第２デバイス２１０にイベントソースとして登録されねばならない。このために、ｐ個の第１デバイス２００＿１〜２００＿ｐは、それぞれ第２デバイス２１０にイベント情報駆動登録を要求せねばならない。
【００３２】
ＧＥＮＡフォーマットを利用する場合に、ｐ個の第１デバイス２００＿１〜２００＿ｐは、第２デバイス２１０にＳＵＢＳＣＩＢＥＲメッセージを伝送してイベント情報購読登録を要求する。ｐ個の第１デバイス２００＿１〜２００＿ｐが第２デバイス２１０にＳＵＢＳＣＩＢＥＲメッセージを伝送したということは、ｐ個の第１デバイス２００＿１〜２００＿ｐがそれぞれ第２デバイス２１０についての状態情報を把握しようとするということを意味する。
【００３３】
したがって、ｐ個の第１デバイス２００＿１〜２００＿ｐのうち一部デバイスが第２デバイス２１０についての状態情報を把握しようとする場合に、ｐ個の第１デバイス２００＿１〜２００＿ｐのうち、第２デバイス２１０についての状態情報を把握しようとするデバイスのみが第２デバイス２１０にＳＵＢＳＣＲＩＢＥＲメッセージを伝送できる。したがって、第２デバイス２１０は、発生したイベント情報をｐ個の第１デバイス２００＿１〜２００＿ｐのうち一つ以上のデバイスに伝送できる。
【００３４】
ｐ個の第１デバイス２００＿１〜２００＿ｐが第２デバイス２１０にイベントソースとして登録された後、ｐ個の第１デバイス２００＿１〜２００＿ｐのうち少なくとも一つのデバイスが第２デバイス２１０に対するイベント情報購読を取消そうとする時、第２デバイス２１０にイベント情報取消要求メッセージを送信してイベントソース登録を取消させうる。イベントソース登録が取消されれば、第２デバイス２１０は、当該第１デバイスにイベント情報を伝送しない。
【００３５】
図３は、本発明による方法及び装置が適用されるネットワーク構造のさらに他の例であって、複数の制御デバイスが複数のネットワークデバイスを制御するネットワーク構造例である。
【００３６】
すなわち、図３のｍ個の第１デバイス３００＿１〜３００＿ｍは、ｏ個の第２デバイス３１０＿１〜３１０＿ｏを制御するデバイスである。ｍ個の第１デバイス３００＿１〜３００＿ｍは、同じ機能を有しうるが、異なる機能を有することもできる。ｏ個の第２デバイス３１０＿１〜３１０＿ｏは、同じ機能を有しうるが、異なる機能を有することもできる。
【００３７】
したがって、ネットワークがＵＰｎＰ基盤ネットワークであれば、ｍ個の第１デバイス３００＿１〜３００＿ｍは、コントロールポイントに該当し、ｏ個の第２デバイス３１０＿１〜３１０＿ｏは、ネットワークデバイスに該当される。コントロールポイントは、例えば、ラップトップコンピュータとなり、ネットワークデバイスは、例えば、プリンタデバイス、メディアサーバデバイス、ウェブカメラデバイスのうち一つとなりうる。
【００３８】
ｍ個の第１デバイス３００＿１〜３００＿ｍは、それぞれ本発明によってｏ個の第２デバイス３１０＿１〜３１０＿ｏで発生するイベント情報を受信し、受信されたイベント情報に基づいたデバイスの状態情報及び／またはデバイスの状態情報にマッピングされる少なくとも一つのイベントリソース（例えば、マルチメディア）を出力する。したがって、ｍ個の第１デバイス３００＿１〜３００＿ｍは、イベント情報受信用デバイスと定義しうる。
【００３９】
ｏ個の第２デバイス３１０＿１〜３１０＿ｏは、イベントが発生すれば、本発明によってデバイスの状態情報及び／または状態情報にマッピングされるイベントリソース（例えば、マルチメディア）についての情報を含むイベント情報を生成してｍ個の第１デバイス３００＿１〜３００＿ｍに伝送する。したがって、ｏ個の第２デバイス３１０＿１〜３１０＿ｏは、イベント情報伝送用のデバイスと定義しうる。
【００４０】
前述したように、ｏ個の第２デバイス３１０＿１〜３１０＿ｏで生成されたイベント情報をｍ個の第１デバイス３００＿１〜３００＿ｍに伝送するために、ｍ個の第１デバイス３００＿１〜３００＿ｍは、ｏ個の第２デバイス３１０＿１〜３１０＿ｏにそれぞれイベントソースとして登録されねばならない。このために、ｍ個の第１デバイス３００＿１〜３００＿ｍは、それぞれｏ個の第２デバイス３１０＿１〜３１０＿ｏにイベント情報駆動登録を要求せねばならない。
【００４１】
ＧＥＮＡフォーマットを利用する場合に、ｍ個の第１デバイス３００＿１〜３００＿ｍは、ｏ個の第２デバイス３１０＿１〜３１０＿ｏにＳＵＢＳＣＩＢＥＲメッセージを伝送してイベント情報購読登録を要求する。ｍ個の第１デバイス３００＿１〜３００＿ｍがｏ個の第２デバイス３１０＿１〜３１０＿ｏにＳＵＢＳＣＩＢＥＲメッセージを伝送したのは、ｍ個の第１デバイス３００＿１〜３００＿ｍのそれぞれがｏ個の第２デバイス３１０＿１〜３１０＿ｏについての状態情報を把握しようとするということを意味する。
【００４２】
したがって、ｍ個の第１デバイス３００＿１〜３００＿ｍのうち一部デバイスがｏ個の第２デバイス３１０＿１〜３１０＿ｏについての状態情報を把握しようとする場合に、ｍ個の第１デバイス３００＿１〜３００＿ｍのうち、ｏ個の第２デバイス３１０＿１〜３１０＿ｏについての状態情報を把握しようとするデバイスのみがｏ個の第２デバイス３１０＿１〜３１０＿ｏにＳＵＢＳＣＲＩＢＥＲメッセージを伝送できる。したがって、ｏ個の第２デバイス３１０＿１〜３１０＿ｏは、発生したイベント情報をｍ個の第１デバイス３００＿１〜３００＿ｍのうち一つ以上のデバイスに伝送できる。
【００４３】
一方、ｍ個の第１デバイス３００＿１〜３００＿ｍがｏ個の第２デバイス３１０＿１〜３１０＿ｏのうち一部のデバイスについての状態情報を把握しようとする場合に、ｍ個の第１デバイス３００＿１〜３００＿ｍは、ｏ個の第２デバイス３１０＿１〜３１０＿ｏのうち状態情報を把握しようとするデバイスにのみＳＵＢＳＣＲＩＢＥＲメッセージを伝送できる。したがって、ｍ個の第１デバイス３００＿１〜３００＿ｍは、ｏ個の第２デバイス３１０＿１〜３１０＿ｏのうち一つ以上のデバイスで発生するイベント情報を受信しうる。
【００４４】
ｍ個の第１デバイス３００＿１〜３００＿ｍがｏ個の第２デバイス３１０＿１〜３１０＿ｏにイベントソースとして登録された後、ｍ個の第１デバイス３００＿１〜３００＿ｍのうち少なくとも一つのデバイスがｏ個の第２デバイス３１０＿１〜３１０＿ｏのうち少なくとも一つのデバイスに対するイベント情報購読を取消そうとする時、ｍ個の第１デバイス３００＿１〜３００＿ｍのうち少なくとも一つのデバイスは、ｏ個の第２デバイス３１０＿１〜３１０＿ｏのうち、当該デバイスにイベント情報取消要求メッセージを送信してイベントソース登録を取消させうる。イベントソース登録が取消されれば、当該第２デバイスは、イベント情報を該当される第１デバイスに伝送しない。
【００４５】
図４は、本発明の一実施例によるネットワークに連結されたデバイス間のイベント情報伝送装置に含まれるイベント情報伝送用のデバイスの機能ブロック図である。図４に示されたイベント情報伝送用のデバイスの機能ブロック図は、図１ないし図３のネットワーク構造例に示された第２デバイスのそれぞれの機能ブロック図となりうる。
【００４６】
図４を参照するに、イベント情報伝送用のデバイスは、モニタリング部４０１、情報生成部４０２、保存部４０３、及び伝送部４０４を備える。
【００４７】
モニタリング部４０１は、当該デバイスの状態情報に基づいて当該デバイスの状態をチェックして、少なくとも一つのイベントが発生するか否かをモニタリングする。イベントは、当該デバイスの状態情報によって発生する。例えば、当該デバイスの状態情報中に“ｔｉｍｅ  ｖａｒｉａｂｌｅ”がある場合に、特定の時間となれば、モニタリング部４０１は、イベントが発生したと判断する。もし、当該デバイスの状態情報中に“ｃａｐｔｕｒｅ  ｖａｒｉａｂｌｅ”がある場合に、当該デバイスを利用して動画や放送画面を視聴する間に画面をキャプチャすれば、モニタリング部４０１は、イベントが発生したと判断する。もし、当該デバイスの状態情報中に“ｆｕｎｃｔｉｏｎ  ｖａｒｉａｂｌｅ”がある場合に、当該デバイスの機能が変更されれば、モニタリング部４０１は、イベントが発生したと判断する。
【００４８】
情報生成部４０２は、モニタリング部４０１で少なくとも一つのイベントが発生したと判断されれば、発生したイベントに対応するデバイスの状態情報にマッピングされるイベントリソースについての情報を生成する。このとき、生成されるイベントリソースについての情報がマルチメディアについての情報であれば、イベントリソースについての情報は、前記発生したイベントに対応するデバイスの状態情報にマッピングされるマルチメディアの位置情報（例えば、ＵＲＬ（Ｕｎｉｆｏｒｍ  Ｒｅｓｏｕｒｃｅ  Ｌｏｃａｔｏｒｓ））と少なくとも一つの属性情報とを含む。
【００４９】
すなわち、情報生成部４０２は、発生したイベントに対応するデバイスの状態情報にマッピングされるイベントリソース（例えば、マルチメディア）を保存部４０３で検索するか、保存部４０３に保存された情報に基づいて生成するか、またはネットワーク（図示せず）を通じて他のデバイスで検索する。これに基づいて発生したイベントに対応するデバイスの状態情報にマッピングされるイベントリソースが生成または検索されれば、当該イベントリソースが存在する所の位置情報（ＵＲＬ）、それについての少なくとも一つの属性情報を決定してイベントリソースについての情報を生成する。少なくとも一つの属性情報は、イベントリソースタイプ、イベントリソースサイズ、イベントリソース再生期間、イベントリソースの解像度のような情報が含まれうる。イベントリソースがマルチメディアであれば、前記属性情報は、マルチメディアタイプ、マルチメディアサイズ、マルチメディア再生期間、マルチメディア解像度と定義されうる。
【００５０】
情報生成部４０２は、図５に示したように構成されうる。図５を参照するに、情報生成部４０２は、イベントリソース生成または検索器５０１及びイベントリソース情報生成器５０２を備える。
【００５１】
モニタリング部４０１からイベント発生を知らせる信号と発生したイベントに対応するデバイスの状態情報とを含むモニタリング結果が受信されれば、イベントリソース生成または検索器５０１は、発生したイベントに対応するデバイスの状態情報にマッピングされるイベントリソースを保存部４０３に保存された情報に基づいて生成するか、または保存部４０３またはネットワークに連結された他のデバイス（図示せず）から検索する。イベントリソースが生成または検索されれば、イベントリソース生成または検索器５０１は、生成または検索されたイベントリソースをイベントリソース情報生成器５０２に伝送する。
【００５２】
イベントリソース情報生成器５０２は、生成または検索されたイベントリソースに基づいてイベントリソースについての情報を生成する。すなわち、イベントリソースについての位置情報及び少なくとも一つの属性情報を生成する。イベントリソースについての位置情報は、検索または生成された結果に基づいて生成され、属性情報は、検索または生成されたイベントリソースに付加された属性情報または事前に設定された属性情報に基づいて生成される。生成されたイベントリソースについての情報は、伝送部４０４に伝送される。
【００５３】
保存部４０３は、事前に発生可能なイベントに対応するデバイスの状態情報にマッピングされるイベントリソースを保存するか、または必要ならばマッピングされるイベントリソースを生成できる原データを保存しうる。
【００５４】
伝送部４０４は、情報生成部４０２で生成されたイベントリソースについての情報を含むイベント情報を、ネットワークに連結された少なくとも一つの他のデバイスに伝送する。このとき、伝送部４０４は、イベント情報に発生したイベントに対応するデバイスの状態情報を含めうる。イベントに対応するデバイスの状態情報は、モニタリング部４０１から提供されうる。イベントに対応するデバイスの状態情報は、イベントを発生させたデバイスの動作情報である。例えば、状態情報が“ｔｉｍｅ  ｖａｒｉａｂｌｅ”と関連したものであれば、状態情報は、時間値となり、状態情報が“ｃａｐｔｕｒｅ  ｖａｒｉａｂｌｅ”と関連したものであれば、キャプチャーされた画面の名称となり、状態情報が“ｆｕｎｃｔｉｏｎ  ｖａｒｉａｂｌｅ”と関連したものであれば、変更された機能名となりうる。
【００５５】
伝送部４０４で生成されたイベント情報は、図６に示した例と同じである。図６は、図４に示された伝送部４０４から出力されるイベント情報を含む通報メッセージの例示図であって、イベントリソースというタグ６１０を通報メッセージに追加した例である。
【００５６】
図６のタグ６１０を参照するに、伝送部４０４で生成されたイベント情報は“Ｎｅｗ  ｖａｌｕｅ”のような発生したイベントに対応するデバイスの状態情報、“ｅｖｅｎｔｒｅｓｏｕｒｃｅｍｉｍｔｙｐｅ”＝“ａｕｄｉｏ／ｍｐｅｇ”ｓｉｚｅ＝“１２３４”などの属性情報、及び“ｈｔｔｐ：／／１６８.２１９.１９７.８４：９００１”のようなイベントリソースの位置情報を含みうる。
【００５７】
図７は、本発明の一実施例によるネットワークに連結されたデバイス間のイベント情報伝送装置に含まれるイベント情報受信用デバイスの機能ブロックの一例である。図１ないし図３のネットワーク構造例示図で、第１デバイスの機能ブロック図は、図７に示した通りでありうる。
【００５８】
図７を参照するに、イベント情報受信用デバイスは、受信部７０１、制御部７０２、及び出力部７０３を備える。
【００５９】
受信部７０１は、ネットワークに連結された少なくとも一つのデバイスからイベント情報を受信する。イベント情報は、発生したイベントに対応するデバイスの状態情報及び／またはデバイスの状態情報にマッピングされるイベントリソースについての情報を含む。
【００６０】
出力部７０３は、イベントリソースを出力する。もし、イベントリソースがオーディオ、ビデオ（動画または静止画像）、オーディオ＋ビデオ、フォトのようなマルチメディアであれば、出力部７０３は、マルチメディアをそれぞれ出力できるように構成されうる。出力部７０３は、発生したイベントに対応するデバイスの状態情報をさらに出力できる。
【００６１】
制御部７０２は、受信部７０１によって受信されたイベント情報に含まれた少なくとも一つのイベントリソースについての情報に基づいて出力部７０３を制御する。制御部７０２は、発生したイベントに対応するデバイスの状態情報と少なくとも一つのイベントリソースについての情報とに基づいたイベントリソースのうち、少なくとも一つが出力部７０３に出力されるように出力部７０３を制御できる。イベントリソースについての情報は、イベントリソースの位置情報と少なくとも一つの属性情報とを含む。
【００６２】
図８は、本発明の一実施例によるネットワークに連結されたデバイス間のイベント情報伝送装置に含まれるイベント情報受信用デバイスの機能ブロックの他の例である。図１ないし図３のネットワーク構造例示図で、第１デバイスの機能ブロック図は、図８に示した通りでありうる。
【００６３】
図８を参照するに、イベント情報受信用デバイスは、受信部８０１、制御部８０２、送信部８０３及び出力部８０４を備える。
【００６４】
受信部８０１は、図７の受信部７０１のようにネットワークに連結された少なくとも一つのデバイスからイベント情報を受信する。また、受信部８０１は、前記少なくとも一つのデバイスから当該イベント情報受信用デバイスをイベントソースとして登録したということを受信部８０１に通報する登録通報メッセージをさらに受信しうる。このような登録通報メッセージを受信するためには、送信部８０３を通じて少なくとも一つのデバイスにイベント情報購読登録要求メッセージを送信せねばならない。
【００６５】
入力されるユーザ情報がイベント情報購読登録を要求すれば、制御部８０２は、送信部８０３を通じてネットワークに連結された少なくとも一つのデバイスにイベント情報購読登録要求メッセージを送信する。入力されるユーザ情報がイベント情報購読取消を要求すれば、制御部８０２は、送信部８０３を通じてネットワークに連結された少なくとも一つのデバイスにイベント情報購読取消要求メッセージを送信する。
【００６６】
制御部８０２は、受信部８０１を通じてイベント情報が受信されれば、図７の制御部７０２のように出力部８０４を制御してイベントリソースを出力する。イベントリソースがマルチメディアであれば、ユーザは、発生したイベントを出力部８０４を通じて出力されるマルチメディアに基づいて分かる。
【００６７】
図９は、本発明の他の実施例によるネットワークに連結されたデバイス間のイベント情報伝送方法の動作フローチャートの一例である。図１を参照して、図９の動作フローチャートを説明すれば、次の通りである。
【００６８】
まず、ネットワークに連結された第１デバイス１００によって、ネットワークに連結された少なくとも一つの第２デバイス１００＿１〜１１０＿ｎからイベント情報が受信されるか否かをチェックする（９０１）。
【００６９】
イベント情報が受信されれば、第１デバイス１１０は、受信されたイベント情報に含まれた少なくとも一つのイベントリソースについての情報に基づいてイベントリソースを出力する（９０２）。イベントリソースは、マルチメディアでありうる。このとき、受信されたイベント情報が発生したイベントに対応するデバイスの状態情報をさらに含めば、ステップ９０２でデバイスの状態情報と少なくとも一つのリソースとを出力できる。
【００７０】
図１０は、本発明の他の実施例によるネットワークに連結されたデバイス間のイベント情報伝送方法の動作フローチャートの他の例である。図１を参照して、図１０の動作フローチャートを説明すれば、次の通りである。
【００７１】
まず、第１デバイス１１０は、ネットワークに連結された少なくとも一つの第２デバイス１００＿１〜１１０＿ｎにイベント情報購読登録を要求する（１００１）。
【００７２】
これにより、少なくとも一つの第２デバイス１００＿１〜１１０＿ｎから第１デバイス１１０をイベントソースとして登録したことを通報する登録通報が受信されれば（１００２）、第１デバイス１１０は、イベント情報が受信されるか否かをチェックする（１００３）。
【００７３】
イベント情報が受信されれば、第１デバイス１１０は、受信されたイベント情報に含まれた少なくとも一つのイベントリソースについての情報に基づいてイベントリソースを出力する（１００４）。イベントリソースは、マルチメディアでありうる。このとき、受信されたイベント情報が発生したイベントに対応するデバイスの状態情報をさらに含めば、ステップ１００４でデバイスの状態情報及び少なくとも一つのリソースのうち一つを出力できる。
【００７４】
図１１は、本発明の他の実施例によるネットワークに連結されたデバイス間のイベント情報伝送方法の動作フローチャートのさらに他の例である。図１１に示した例は、図１０に示されたイベント情報伝送方法にイベント情報受信購読取消要求による過程がさらに追加した例である。したがって、図１１のステップ１１０１ないしステップ１１０４は、図１０のステップ１００１ないしステップ１００４と同じである。
【００７５】
受信されたイベント情報に基づいて、イベントリソースまたはデバイスの状態情報またはイベントリソースとデバイスの状態情報とを出力する機能を行っている時、ステップ１１０５でユーザからイベント情報受信購読取消が要求されれば、第１デバイス１００は、当該デバイスにイベント情報購読取消要求メッセージを伝送する（１１０６）。例えば、ユーザが第２デバイス１１０＿１に対するイベント情報受信購読取消を要求すれば、第１デバイス１００は、第２デバイス１１０＿１にイベント情報受信購読取消要求メッセージを伝送する。
【００７６】
次いで、イベント情報を購読するデバイスが存在すれば、第１デバイス１００の動作は、ステップ１１０３にリターンする。しかし、イベント情報を購読するデバイスが存在しなければ、第１デバイス１００の動作は、イベント情報購読に関連した機能を終了する。
【００７７】
一方、ステップ１１０５でイベント情報受信駆動取消が要求されなければ、第１デバイス１００の機能は、ステップ１１０３にリターンする。
【００７８】
図１２は、本発明の他の実施例によるネットワークに連結されたデバイス間のイベント情報伝送方法の動作フローチャートのさらに他の例である。図２を参照して図１２の動作を説明すれば、次の通りである。
【００７９】
まず、ネットワークに連結された第２デバイス２１０でイベントが発生するか否かをモニタリングする（１２０１）。前記イベントが発生すれば（１２０２）、前記発生したイベントに対応するデバイスの状態情報にマッピングされる少なくとも一つのイベントリソースについての情報を生成する（１２０３）。イベントリソースについての情報は、マルチメディアについての情報と定義しうる。
【００８０】
図１３は、図１２に示されたステップ１２０３のイベントリソースについての情報生成ステップの詳細動作フローチャートである。図１３を参照するに、前記発生したイベントに対応するデバイスの状態情報にマッピングされるイベントリソースを生成または検索する（１３０１）。イベントリソースに対する生成及び検索は、図５で説明した通りである。
【００８１】
生成または検索されたイベントリソースに基づいて、前記イベントリソースについての情報を生成する（１３０２）。イベントリソースについての情報は、イベントリソースの位置情報と属性情報とを含む。属性情報は、前述した通りである。
【００８２】
図１２で、次いで、前記生成されたイベントリソースについての情報を含むイベント情報を前記ネットワークに連結された少なくとも一つの第１デバイス２００＿１〜２００＿ｐに伝送する（１２０４）。このとき、イベント情報は、発生したイベントに対応するデバイスの状態情報をさらに含みうる。前記少なくとも一つのイベントリソースについての情報は、前記発生したイベントに対応するデバイスの状態情報によって決定されうる。例えば、デバイスの状態情報がイメージと関連したものならば、イベントリソースは、イメージまたはビデオと決定され、デバイスの状態情報がオーディオと関連したものならば、イベントリソースは、オーディオと決定されうる。
【００８３】
図１４は、ＵＰｎＰ基盤ネットワークでＧＥＮＡフォーマットに基づいた本発明によるネットワークに連結されたデバイス間のイベント情報伝送方法の動作フローチャートである。
【００８４】
前述した実施例における第１デバイスに対応するＣＰ（コントロール  ポイント）１４００がネットワークデバイス１４１０にイベント情報購読登録を要求すれば（１４０１）、ネットワークデバイス１４１０は、ＣＰ  １４００をイベントソースとして登録しつつ（１４０２）、ＣＰ  １４００にイベントソースへの登録を通報するメッセージを伝送する（１４０３）。
【００８５】
このとき、ネットワークデバイス１４１０は、ＣＰ  １４００に割り当てた固有のＳＩＤとイベント情報を購読できるＴｉｍｅｏｕｔのような時間情報とを共にＣＰ
１４００に伝送する。これにより、ＣＰ  １４００は、割当てられたＳＩＤと時間情報とに基づいて、ネットワークデバイス１４１０で発生するイベント情報を購読する。ネットワークデバイス１４１０から提供された時間が経過する場合に、ＣＰ  １４００は、周期的にイベント情報購読登録を要求する再購読メッセージをネットワークデバイス１４１０に伝送してイベント情報購読登録状態を維持せねばならない。
【００８６】
ネットワークデバイス１４１０でイベントが発生すれば（１４０４）、ネットワークデバイス１４１０は、発生したイベントに対応するデバイスの状態情報にマッピングするイベントリソースについての情報を生成する（１４０５）。
【００８７】
ネットワークデバイス１４１０は、生成されたイベントリソースについての情報を含んだイベント情報を生成し（１４０６）、生成されたイベント情報をＣＰ
１４００に伝送する（１４０７）。ＣＰ  １４００は、イベントリソースについての情報に基づいてイベントリソースを出力する（１４０８）。
【００８８】
本願発明によるネットワークに連結されたデバイス間のイベント情報伝送方法を行うためのプログラムは、コンピュータで読取り可能な記録媒体にコンピュータで読取り可能なコードとして具現することが可能である。コンピュータで読取り可能な記録媒体は、コンピュータシステムによって読み取られるデータが保存される全ての種類の保存装置を含む。コンピュータで読取り可能な記録媒体の例としては、ＲＯＭ、ＲＡＭ、ＣＤ−ＲＯＭ、磁気テープ、フロッピー（登録商標）ディスク、光データ保存装置を含む。また、コンピュータで読取り可能な記録媒体は、ネットワークに連結されたコンピュータシステムに分散され、分散方式でコンピュータで読取り可能なコードとして保存されかつ実行されうる。
【００８９】
以上、本発明に対してその望ましい実施例を中心に説明した。当業者は、本発明が本発明の本質的な特性から逸脱しない範囲で変形された形態で具現されうるということが理解できるであろう。したがって、開示された実施例は、限定的な観点ではなく、説明的な観点で考慮されねばならない。本発明の範囲は、前述した説明ではなく、特許請求の範囲に現れており、それと同等な範囲内にある全ての差異点は、本発明に含まれていると解釈されねばならない。
【産業上の利用可能性】
【００９０】
本発明は、デバイス間の情報伝送に関連した技術分野に適用可能である。
【図面の簡単な説明】
【００９１】
【図１】本発明による方法及び装置が適用されるネットワーク構造の一例である。
【図２】本発明による方法及び装置が適用されるネットワーク構造の他の例である。
【図３】本発明による方法及び装置が適用されるネットワーク構造のさらに他の例である。
【図４】本発明の一実施例によるネットワークに連結されたデバイス間のイベント情報伝送装置に含まれるイベント情報伝送用のデバイスの機能ブロック図である。
【図５】図４に示された情報生成部の詳細機能ブロック図である。
【図６】図４に示された伝送部から出力されるイベント情報についての通報メッセージの例示図である。
【図７】本発明の一実施例によるネットワークに連結されたデバイス間のイベント情報伝送装置に含まれるイベント情報受信用デバイスの機能ブロックの一例である。
【図８】本発明の一実施例によるネットワークに連結されたデバイス間のイベント情報伝送装置に含まれるイベント情報受信用デバイスの機能ブロックの他の例である。
【図９】本発明の他の実施例によるネットワークに連結されたデバイス間のイベント情報伝送方法の動作フローチャートの一例である。
【図１０】本発明の他の実施例によるネットワークに連結されたデバイス間のイベント情報伝送方法の動作フローチャートの他の例である。
【図１１】本発明の他の実施例によるネットワークに連結されたデバイス間のイベント情報伝送方法の動作フローチャートのさらに他の例である。
【図１２】本発明の他の実施例によるネットワークに連結されたデバイス間のイベント情報伝送方法の動作フローチャートのさらに他の例である。
【図１３】図１２に示されたイベントリソースについての情報生成ステップの詳細動作フローチャートである。
【図１４】ＵＰｎＰ基盤ネットワークを通じて連結されたデバイス間のイベント情報伝送方法の動作フローチャートである。
【符号の説明】
【００９２】
４０１  モニタリング部
４０２  情報生成部
４０３  保存部
４０４  伝送部
５０１  イベントリソース生成または検索器
５０２  イベントリソース情報生成器
７０１、８０１  受信部
７０２、８０２  制御部
７０３、８０４  出力部
８０３  送信部
【図１】
0005219389.tif 000002
【図２】
0005219389.tif 000003
【図３】
0005219389.tif 000004
【図４】
0005219389.tif 000005
【図５】
0005219389.tif 000006
【図６】
0005219389.tif 000007
【図７】
0005219389.tif 000008
【図８】
0005219389.tif 000009
【図９】
0005219389.tif 000010
【図１０】
0005219389.tif 000011
【図１１】
0005219389.tif 000012
【図１２】
0005219389.tif 000013
【図１３】
0005219389.tif 000014
【図１４】
0005219389.tif 000015